(57)【要約】【課題】電源回路に蓄えることができる電力を増やさずに、電力供給の遮断後にデータ処理用デバイスの保護処理動作のための時間を十分に確保できる装置及び方法を提供する。【解決手段】印刷装置１は、駆動系デバイス６０と、駆動系制御部４０と、データ処理用デバイス７０と、データ処理系制御部５０と、低圧電源回路１００と、電圧検出回路１１１とを有する。電圧検出回路１１１は、入力電圧Ｖ１が供給されている第１の動作モードにおいて入力電圧Ｖ１が遮断されると、入力電圧Ｖ１の遮断を示す検出信号Ｓ１をデータ処理系制御部５０に送る。データ処理系制御部５０は、入力電圧Ｖ１の遮断を示す検出信号Ｓ１に応じて、データ処理部５２及び駆動系制御部４０の少なくとも一方を、第１の動作モードより低消費電力である第２の動作モードに切り替え、データ処理用デバイス７０の保護処理動作を実行する。【選択図】図２
2015085661.tif 000002
【特許請求の範囲】
【請求項１】
印刷動作を行う駆動系デバイスと、
前記駆動系デバイスを制御する駆動系制御部と、
データ処理を行うデータ処理用デバイスと、
前記データ処理用デバイスを制御するデータ処理系制御部と、
外部電源が供給する入力電圧から、前記駆動系制御部に供給される駆動系電圧と前記データ処理系制御部に供給されるデータ処理系電圧とを生成する電源回路と、
を有する印刷装置において、
前記駆動系制御部及び前記データ処理系制御部に電圧が供給されている第１の動作モードにおいて前記入力電圧が遮断されたときに、前記入力電圧が遮断されたことを示す検出信号を前記データ処理系制御部に送る入力電圧検出部をさらに有し、
前記データ処理系制御部は、前記入力電圧が遮断されたことを示す検出信号を受け取ったときに、前記データ処理系制御部の内の予め定められた部分及び前記駆動系制御部の少なくとも一方を、前記第１の動作モードより低消費電力である第２の動作モードに切り替え、前記データ処理用デバイスの保護処理動作を実行する
ことを特徴とする印刷装置。
【請求項２】
前記電源回路は、前記第１の動作モードにおいて前記入力電圧によって電力が蓄えられるコンデンサを含み、
前記コンデンサに蓄えられている電力は、前記第２の動作モードにおける前記データ処理用デバイスの前記保護処理動作に使用される
ことを特徴とする請求項１に記載の印刷装置。
【請求項３】
前記入力電圧検出部は、前記コンデンサの入力端の電圧を検出し、前記コンデンサの入力端の電圧が予め定められた閾値より低くなったときに、前記入力電圧が遮断されたことを示す検出信号を前記データ処理系制御部に送る電圧検出回路であることを特徴とする請求項２に記載の印刷装置。
【請求項４】
前記入力電圧は、ＡＣ入力電圧であり、
前記電源回路は、前記ＡＣ入力電圧を整流する整流回路を含み、
前記整流回路の出力端が、前記コンデンサの前記入力端に接続される
ことを特徴とする請求項３に記載の印刷装置。
【請求項５】
前記入力電圧は、ＡＣ入力電圧であり、
前記入力電圧検出部は、ＡＣゼロクロス検出回路を含む
ことを特徴とする請求項１又は２に記載の印刷装置。
【請求項６】
前記電源回路は、前記ＡＣ入力電圧を整流する整流回路を含み、
前記整流回路の出力端が、前記コンデンサの前記入力端に接続される
ことを特徴とする請求項５に記載の印刷装置。
【請求項７】
前記データ処理系制御部は、データ処理部と、前記データ処理部及び前記駆動系制御部に制御信号を送る中央制御部とを含み、
前記データ処理系制御部の内の前記予め定められた部分は、前記データ処理部である
ことを特徴とする請求項１から６のいずれか１項に記載の印刷装置。
【請求項８】
前記データ処理用デバイスは、ハードディスクドライブを含むことを特徴とする請求項１から７のいずれか１項に記載の印刷装置。
【請求項９】
前記駆動系デバイスは、前記印刷動作を実行するためのモータ、センサ、高圧電源回路、及び発光素子の内の少なくとも１つを含むことを特徴とする請求項１から８のいずれか１項に記載の印刷装置。
【請求項１０】
前記入力電圧検出部は、前記電源回路の一部であることを特徴とする請求項１から９のいずれか１項に記載の印刷装置。
【請求項１１】
前記第１の動作モードにおいて前記入力電圧が遮断されたときに、前記入力電圧検出部が前記入力電圧が遮断されたことを示す検出信号を前記データ処理系制御部に送る時点が、前記データ処理系制御部が前記データ処理用デバイスに供給するデータ処理用電圧が、前記データ処理用デバイスの動作限界電圧よりも低くなる時点よりも早い時点になるように、前記閾値が決定されることを特徴とする請求項３又は４に記載の印刷装置。
【請求項１２】
前記第１の動作モードにおいて前記入力電圧が、電圧ディップ、瞬時停電及び電圧変動のイミュニティ試験において規定された時間の入力電圧の瞬間遮断が発生し、その後、前記入力電圧が復帰したときに、前記コンデンサの入力端の電圧が低下して前記閾値に達しないように、前記閾値が決定されることを特徴とする請求項３、４、及び１１のいずれか１項に記載の印刷装置。
【請求項１３】
前記データ処理系制御部は、前記入力電圧が遮断されたことを示す検出信号を受け取ったときに、電圧ディップ、瞬時停電及び電圧変動のイミュニティ試験において規定された時間が経過する前であっても、前記データ処理用デバイスの前記保護処理動作を実行することを特徴とする請求項１から１１のいずれか１項に記載の印刷装置。
【請求項１４】
駆動系デバイスと、
前記駆動系デバイスを制御する駆動系制御部と、
データ処理を行うデータ処理用デバイスと、
前記データ処理用デバイスを制御するデータ処理系制御部と、
外部電源が供給する入力電圧から、前記駆動系制御部に供給される駆動系電圧と前記データ処理系制御部に供給されるデータ処理系電圧とを生成する電源回路と、
を有するデータ処理装置において、
前記駆動系制御部及び前記データ処理系制御部に電圧が供給されている第１の動作モードにおいて前記入力電圧が遮断されたときに、前記入力電圧が遮断されたことを示す検出信号を前記データ処理系制御部に送る入力電圧検出部をさらに有し、
前記データ処理系制御部は、前記入力電圧が遮断されたことを示す検出信号を受け取ったときに、前記データ処理系制御部の内の予め定められた部分及び前記駆動系制御部の少なくとも一方を、前記第１の動作モードより低消費電力である第２の動作モードに切り替え、前記データ処理用デバイスの保護処理動作を実行する
ことを特徴とするデータ処理装置。
【請求項１５】
駆動系デバイスと、
データ処理を行うデータ処理用デバイスと、
外部電源から入力される入力電圧から、前記駆動系デバイスに供給する駆動系電圧と前記データ処理系デバイスに供給するデータ処理系電圧を生成する電源回路と、
を有するデータ処理装置の制御方法において、
前記入力電圧の遮断が検出されたとき、前記駆動系デバイスの駆動を停止又は制限させる省電力モードに移行させた後に、前記データ処理用デバイスの保護処理動作を実行することを特徴とするデータ処理装置の制御方法。
【発明の詳細な説明】
【技術分野】
【０００１】
本発明は、データ処理用デバイスを備えた印刷装置、データ処理装置、及びデータ処理装置の制御方法に関するものである。
【背景技術】
【０００２】
従来、ハードディスクドライブ（ＨＤＤ）などのデータ処理用デバイスを搭載する印刷装置が、広く普及している。通常、このような印刷装置は、交流（ＡＣ）入力電圧の遮断時に、データ処理用デバイスの物理的な破損防止及びデータ処理用デバイスの記憶部（例えば、ＨＤＤのディスク）に未だ書き込まれていないデータ（例えば、キャッシュメモリに一時記憶されたデータ）の保護を目的とする保護処理動作を実行するための手段を備えている。例えば、特許文献１（特開２００５−３５２２７号公報）は、ＡＣ入力電圧の遮断時に、データ処理用デバイスの記憶部（例えば、ＨＤＤのディスク）へのデータ退避を行い、印刷装置の停止処理に移行することを説明している。このような保護処理動作は、検出回路によってＡＣ入力電圧の低下が検出されたときに、低圧電源回路に備えられている電解コンデンサに蓄えられている電力（電気エネルギ）を用いて実行される。
【先行技術文献】
【特許文献】
【０００３】
【特許文献１】特開２００５−３５２２７号公報
【発明の概要】
【発明が解決しようとする課題】
【０００４】
しかしながら、電解コンデンサに蓄えることができる電力の量には限界がある。低圧電源回路に備えられている電解コンデンサとして大容量のものを用いると、以下のような問題が生じる。第１に、装置の製造コストが上昇する。第２に、低圧電源回路が搭載される電源ユニットの容積を増加させる必要がある。第３に、ＡＣ入力電圧の投入時（すなわち、装置の電源スイッチをオンにするとき）に発生する突入電流が大きくなる。
【０００５】
また、低圧電源回路に備えられている電解コンデンサとして小容量のものを用いると、以下のような問題が生じる。ＡＣ入力電圧の遮断時に消費電力の大きな動作（例えば、印刷動作）が進行中であると、電解コンデンサに蓄えられている電力が短時間で消費され、電解コンデンサに蓄えられている電力によって維持されている電圧が、短時間でデータ処理用デバイスの動作限界電圧を下回る。その結果、データ処理用デバイスの保護処理動作を完了できない事態が発生する。
【０００６】
そこで、本発明の目的は、電源回路に蓄えることができる電力を増やさずに、電力供給の遮断後にデータ処理用デバイスの保護処理動作のための時間を十分に確保することができる印刷装置、データ処理装置、及びデータ処理装置の制御方法を提供することである。
【課題を解決するための手段】
【０００７】
本発明の一態様に係る印刷装置は、印刷動作を行う駆動系デバイスと、前記駆動系デバイスを制御する駆動系制御部と、データ処理を行うデータ処理用デバイスと、前記データ処理用デバイスを制御するデータ処理系制御部と、外部電源が供給する入力電圧から、前記駆動系制御部に供給される駆動系電圧と前記データ処理系制御部に供給されるデータ処理系電圧とを生成する電源回路と、を有する印刷装置において、前記駆動系制御部及び前記データ処理系制御部に電圧が供給されている第１の動作モードにおいて前記入力電圧が遮断されたときに、前記入力電圧が遮断されたことを示す検出信号を前記データ処理系制御部に送る入力電圧検出部をさらに有し、前記入力電圧が遮断されたことを示す検出信号を前記データ処理系制御部に送る入力電圧検出部をさらに有し、前記データ処理系制御部は、前記入力電圧が遮断されたことを示す検出信号を受け取ったときに、前記データ処理系制御部の内の予め定められた部分及び前記駆動系制御部の少なくとも一方を、前記第１の動作モードより低消費電力である第２の動作モードに切り替え、前記データ処理用デバイスの保護処理動作を実行することを特徴とする。
【０００８】
本発明の他の態様に係るデータ処理装置は、駆動系デバイスと、前記駆動系デバイスを制御する駆動系制御部と、データ処理を行うデータ処理用デバイスと、前記データ処理用デバイスを制御するデータ処理系制御部と、外部電源が供給する入力電圧から、前記駆動系制御部に供給される駆動系電圧と前記データ処理系制御部に供給されるデータ処理系電圧とを生成する電源回路と、を有するデータ処理装置において、前記駆動系制御部及び前記データ処理系制御部に電圧が供給されている第１の動作モードにおいて前記入力電圧が遮断されたときに、前記入力電圧が遮断されたことを示す検出信号を前記データ処理系制御部に送る入力電圧検出部をさらに有し、前記データ処理系制御部は、前記入力電圧が遮断されたことを示す検出信号を受け取ったときに、前記データ処理系制御部の内の予め定められた部分及び前記駆動系制御部の少なくとも一方を、前記第１の動作モードより低消費電力である第２の動作モードに切り替え、前記データ処理用デバイスの保護処理動作を実行することを特徴とする。
【０００９】
本発明の他の態様に係るデータ処理装置の制御方法は、駆動系デバイスと、データ処理を行うデータ処理用デバイスと、外部電源から入力される入力電圧から、前記駆動系デバイスに供給する駆動系電圧と前記データ処理系デバイスに供給するデータ処理系電圧を生成する電源回路と、を有するデータ処理装置の制御方法であって、前記入力電圧の遮断が検出されたとき、前記駆動系デバイスの駆動を停止又は制限させる省電力モードに移行させた後に、前記データ処理用デバイスの保護処理動作を実行することを特徴とする。
【発明の効果】
【００１０】
本発明によれば、電源回路に蓄えることができる電力を増やさずに、電力供給の遮断後にデータ処理用デバイスの保護処理動作のための時間を十分に確保することができるという効果を得ることができる。
【図面の簡単な説明】
【００１１】
【図１】本発明の第１の実施形態に係る印刷装置の構成を概略的に示す図である。
【図２】第１の実施形態に係る印刷装置の構成を概略的に示すブロック図である。
【図３】（ａ）から（ｈ）は、第１の実施形態に係る印刷装置におけるＡＣ入力電圧の遮断時の動作を示すタイムチャートである。
【図４】（ａ）及び（ｂ）は、電力遮断時に動作モードを変更しない比較例の印刷装置のＡＣ入力電圧の遮断後にデータ処理用デバイスに供給される電圧の推移を、３種類の負荷状態の場合について示す波形図である。
【図５】（ａ）及び（ｂ）は、第１の実施形態に係る印刷装置のＡＣ入力電圧の遮断後にデータ処理用デバイスに供給される電圧の推移を、３種類の負荷状態の場合について示す波形図である。
【図６】（ａ）から（ｈ）は、第１の実施形態に係る印刷装置においてＡＣ入力電圧が瞬間遮断し復帰したときの動作を示すタイムチャートである。
【図７】本発明の第２の実施形態に係る印刷装置の構成を概略的に示す図である。
【図８】第２の実施形態に係る印刷装置の構成を概略的に示すブロック図である。
【図９】（ａ）から（ｈ）は、第２の実施形態に係る印刷装置におけるＡＣ入力電圧の遮断時の動作を示すタイムチャートである。
【図１０】（ａ）から（ｈ）は、第２の実施形態に係る印刷装置においてＡＣ入力電圧が瞬間遮断し復帰したときの動作を示すタイムチャートである。
【発明を実施するための形態】
【００１２】
《１》第１の実施形態
《１−１》第１の実施形態の構成
図１は、本発明の第１の実施形態に係る印刷装置１の構成を概略的に示す図である。印刷装置１は、データ処理用デバイスを備えた電子写真カラープリンタである。印刷装置１は、モノクロプリンタ、コピー機、ファクシミリ装置、多機能周辺装置（ＭＦＰ）などのような他の種類のデータ処理装置であってもよい。第１の実施形態において、データ処理用デバイスは、ハードディスクドライブ（ＨＤＤ）を含むが、データ処理用デバイスに含まれる装置は、停止前に保護処理動作が必要な他の装置（例えば、半導体記憶装置、磁気テープ記憶装置、光ディスク記録装置など）であってもよい。
【００１３】
図１に示されるように、印刷装置１は、記録用紙等の印刷媒体（記録媒体）８０上に各色の現像剤像（トナー像）を形成する４台の画像形成部１０（又は、１０ａ，１０ｂ，１０ｃ，１０ｄ）を有する。４台の画像形成部１０は、ブラック（Ｋ色）画像形成用のＫ色用画像形成部１０ａと、シアン（Ｃ色）画像形成用のＣ色用画像形成部１ｂと、マゼンタ（Ｍ色）画像形成用のＭ色用画像形成部１ｃと、イエロー（Ｙ色）画像形成用のＹ色用画像形成部１ｄとを含む。Ｋ色用画像形成部１０ａ、Ｃ色用画像形成部１０ｂ、Ｍ色用画像形成部１０ｃ、及びＹ色用画像形成部１０ｄは、印刷媒体８０が搬送される方向に、すなわち、印刷媒体８０の供給側から排出側へ順に（図１においては、右から左に向けて順に）配置されている。Ｋ色用画像形成部１０ａは、外周面に静電潜像が形成される像担持体としての感光体（感光体ドラム）１２ａと、感光体１２ａの表面を一様に帯電させる帯電ローラ１５ａと、一様帯電した感光体１２ａの表面を画像データに応じて露光して静電潜像を形成する露光装置１１ａと、感光体１２ａの表面に現像剤としてのトナーを供給する現像ローラ１３ａと、現像ローラ１３ａにトナーを供給する供給ローラ１４ａとを有する。露光装置１１ａは、露光用光源（例えば、後述するＬＥＤヘッド６１）を含む。露光装置１１ｂ，１１ｃ，１１ｄは、露光装置１１ａと同様の構成を有する。Ｃ色用画像形成部１０ｂ、Ｍ色用画像形成部１０ｃ、及びＹ色用画像形成部１０ｄのそれぞれは、画像形成部１０ａと同様の構造を持つ。なお、画像形成部１０の台数は、４台に限定されず、１台以上であれば他の台数であってもよい。また、各画像形成部１０の構造及び形状は、図１の例に限定されず、他の構造及び形状であってもよい。
【００１４】
印刷装置１は、画像形成部１０ａ，１０ｂ，１０ｃ，１０ｄの下方に配置された無端状の転写ベルト１６と、転写ベルト１６を張架しながら移動させる駆動ローラ１６ａ，１６ｂと、転写ベルト１６を介して画像形成部１０ａ，１０ｂ，１０ｃ，１０ｄにそれぞれ対向するように配置された転写ローラ１７ａ，１７ｂ，１７ｃ，１７ｄと、転写ベルト１６の下方に装着されたカセットトレイ１８と、ホッピングローラ１９と、給紙センサ２０と、書き出しセンサ２１と、加熱ローラ６６ａ及び加圧ローラ６６ｂを有する定着器６６と、排出センサ２２とを有する。給紙センサ２０、書き出しセンサ２１、及び排出センサ２２の検出信号は、駆動系制御部４０へ送られる。駆動系制御部４０は、給紙センサ２０、書き出しセンサ２１、及び排出センサ２２の検出信号に基づいて印刷媒体８０の位置を判断し、印刷媒体８０の搬送に用いられるローラ及びベルトなどを動作させるための各モータを制御する。加熱ローラ６６ａの内部には、低圧電源回路１００から電力を供給されて発熱する熱源であるハロゲンランプが備えられている。加熱ローラ６６ａの表面温度は、サーミスタ等の温度検出手段によって計測される。駆動系制御部４０は、温度検出手段によって得られた加熱ローラ６６ａの表面温度の情報を元に、ハロゲンランプへの電力供給を制御して加熱ローラ６６ａの表面温度を制御する。
【００１５】
印刷動作時に、カセットトレイ１８に重ねて収容された印刷媒体８０から、ホッピングローラ１９によって印刷媒体８０が１枚ずつ繰り出される。給紙センサ２０は、カセットトレイ１８から繰り出された印刷媒体８０を検出する。書き出しセンサ２１は、転写ローラ１７ａの直前の位置に配置され、画像形成部１０ａ，１０ｂ，１０ｃ，１０ｄにおいて形成されたトナー像を印刷媒体８０上に転写する書き出し位置を検出する。転写ベルト１６は、駆動ローラ１６ａ，１６ｂの回転によって移動し、外周面に印刷媒体８０を保持して印刷媒体８０を搬送する。転写ローラ１７ａ，１７ｂ，１７ｃ，１７ｄは、画像形成部１０ａ，１０ｂ，１０ｃ，１０ｄの感光体の表面上に形成されたトナー像を、転写ベルト１６によって移動する印刷媒体８０上に転写させる。定着器６６は、印刷媒体８０上に転写されたトナー像を加熱及び加圧して、印刷媒体８０上に定着させる。排出センサ２２は、定着器６６の下流に配置され、定着器６６を通過した印刷媒体８０がスタッカ２３に排出されたことを検出する。
【００１６】
印刷装置１の筐体の上部には開閉可能なカバー１ａが設けられる。カバー１ａには、露光装置１１ａ，１１ｂ，１１ｃ，１１ｄが取り付けられ、カバー１ａを閉めることによって、露光装置１１ａ，１１ｂ，１１ｃ，１１ｄが画像形成部１０ａ，１０ｂ，１０ｃ，１０ｄの感光体にそれぞれ対向する。カバー１ａの上部は、印刷装置１の筐体の外部に排出された印刷媒体８０が載置されるスタッカ２３が形成されている。
【００１７】
図２は、第１の実施形態に係る印刷装置１の構成を概略的に示すブロック図である。図２に示されるように、印刷装置１は、ＡＣ電源３０から供給される入力電圧としてのＡＣ入力電圧Ｖ１を投入（オン）又は遮断（オフ）する電源スイッチ３１を有する。また、印刷装置１は、印刷動作を行う駆動系デバイス６０と、駆動系デバイス６０を制御する駆動系制御部４０と、データ処理を行うデータ処理用デバイス７０と、データ処理用デバイス７０を制御するデータ処理系制御部５０とを有する。また、印刷装置１は、外部電源としてのＡＣ電源３０が供給するＡＣ入力電圧Ｖ１から、駆動系制御部４０に供給される駆動系電圧Ｖ４とデータ処理系制御部５０に供給されるデータ処理系電圧Ｖ３とを生成する電源回路としての低圧電源回路１００を有する。さらに、印刷装置１は、低圧電源回路１００にＡＣ入力電圧Ｖ１が供給され、駆動系制御部４０及びデータ処理系制御部５０に電圧が供給されている第１の動作モード（通常動作モード）においてＡＣ入力電圧Ｖ１が遮断されたときに（すなわち、外部電源からの電力供給が遮断されたときに）、ＡＣ入力電圧Ｖ１の遮断を示す検出信号Ｓ１をデータ処理系制御部５０に送る入力電圧検出部としての電圧検出回路１１１を有する。図１の例においては、電圧検出回路１１１は、低圧電源回路１００の一部として示されているが、電圧検出回路１１１を低圧電源回路１００と別個の構成であってもよい。データ処理系制御部５０は、ＡＣ入力電圧Ｖ１の遮断を示す検出信号Ｓ１を受け取ったときに、印刷装置１の各構成の内の、データ処理用デバイス７０の保護処理動作に影響を与えない部分の動作モードを第１の動作モードよりも消費電力の低い第２の動作モード（低消費電力モード）に切り替える。また、第２の動作モードは、データ処理用デバイス７０の保護処理動作に影響を与えない部分の動作の停止であってもよい。データ処理用デバイス７０の保護処理動作に影響を与えない部分は、例えば、データ処理系制御部５０の内の予め定められた部分（例えば、データ処理部５２）及び駆動系制御部４０の内の少なくとも一方を含む。データ処理系制御部５０は、動作モードを第２の動作モードに切り替えたときに、データ処理用デバイス７０の保護処理動作を実行する。保護処理動作とは、例えば、ＡＣ入力電圧Ｖ１の遮断時に、データ処理用デバイスの物理的な破損防止のための動作及びデータ処理用デバイスの記憶部（例えば、ＨＤＤのディスク）に未だ書き込まれていないデータ（例えば、キャッシュメモリに一時記憶されたデータ）をデータ処理用デバイスの記憶部（例えば、ＨＤＤのディスク）に退避（記憶）させる動作などである。
【００１８】
低圧電源回路１００は、整流ダイオードブリッジ１０１と、蓄電素子（コンデンサ）としての電解コンデンサ１０２と、電界効果トランジスタ（スイッチングＦＥＴ）１０３と、トランス１０４と、ダイオード１０５と、蓄電素子（コンデンサ）としての電解コンデンサ１０６と、スイッチング制御部１０７と、駆動系電力生成部１０８と、定着器電力制御部１０９と、データ処理系電力生成部１１０と、電圧検出回路１１１とを有する。
【００１９】
駆動系電力生成部１０８において生成される電圧Ｖ４は、駆動系制御部４０及び駆動系デバイス６０に供給される。駆動系電力生成部１０８は、電圧Ｖ４から、モータ６２又は高圧電源回路６３に供給される２４Ｖ電圧、ＬＥＤヘッド６１に供給される５Ｖ電圧、スキャナ又は追加給紙トレイ等のオプション機器６４に供給される２４Ｖ電圧、及び駆動系制御部４０に備えられる制御ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）等の回路において使用される３．３Ｖ電圧などを生成する。
【００２０】
データ処理系電力生成部１１０において生成される電圧Ｖ３は、データ処理系制御部５０及びデータ処理用デバイス７０に供給される。データ処理系電力生成部１１０は、電圧Ｖ３から、ＣＰＵ５１又はデータ処理部５２において使用する３．３Ｖ電圧及びハードディスクドライブ（ＨＤＤ）７１を含むデータ処理用デバイス７０を動作させる５Ｖ電圧などを生成する。データ処理系制御部５０は、駆動系制御部４０に印刷動作の開始及び停止を指示することができるように、駆動系制御部４０に第１の動作モードよりも省電力な第２の動作モード（例えば、スタンバイ状態又は省電力状態）に移行することを指示することができる。また、データ処理系制御部５０には、低圧電源回路１００に備えられる電圧検出回路１１１が接続され、データ処理系制御部５０は、電解コンデンサ１０２の入力端の電圧を監視する。
【００２１】
定着器６６に電力を供給する定着器電力制御部１０９は、定着器用電源ライン１０９ａからＡＣ入力電圧Ｖ１を受け取る。定着器用電源ライン１０９ａは、印刷装置１の制御部用電源ライン３２から分岐されたラインである。定着器電力制御部１０９は、例えば、トライアックを構成要素として含む。定着器電力制御部１０９は、駆動系制御部４０及び定着器６６に接続されており、駆動系制御部４０からの指示信号Ｓ５に従って、定着器６６にＡＣ電力を供給する。
【００２２】
制御部用電源ライン３２は、整流ダイオードブリッジ１０１の入力端に接続され、整流ダイオードブリッジ１０１による整流後の電力は、整流ダイオードブリッジ１０１の出力端に接続された電解コンデンサ１０２に蓄えられる。通常、データ処理用デバイス７０を備えていない印刷装置の低圧電源回路に設定される電解コンデンサの静電容量は、ＡＣ入力電圧が瞬間遮断された場合のことを想定して国際電気標準会議（ＩＥＣ）が定める「電圧ディップ、瞬時停電及び電圧変動のイミュニティ（ｉｍｍｕｎｉｔｙ）試験」（以下「電圧ディップ等のイミュニティ試験」とも言う。）において規定されたＡＣ入力電圧の瞬間遮断（２０ｍｓｅｃ程度以内の瞬間遮断）が発生しても、印刷動作を維持することができる電力を蓄えることができる静電容量に設定されている。言い換えれば、印刷装置１は、瞬間的なＡＣ入力電圧Ｖ１の低下である電圧ディップの発生、又は、瞬間的な電源遮断である瞬時停電の発生があったとしても、印刷動作を継続することができる電力を蓄えることができるように電解コンデンサ１０２の静電容量を設定している。
【００２３】
第１の実施形態において、電解コンデンサ１０２には、上記のような瞬間的な入力電圧の瞬間遮断における印刷動作の維持のための電力を蓄えることができる静電容量に加えて、低消費電力モード時の消費電力に対してＨＤＤ７１などのデータ処理用デバイス７０の保護処理動作が完了するまでの時間だけの電力を供給可能な静電容量を持つコンデンサを採用している。ＨＤＤ７１などのデータ処理用デバイス７０の保護処理動作に必要な時間（保護処理時間）が５０ｍｓｅｃである装置の場合には、印刷動作において消費する電力を２０ｍｓｅｃ分と低消費電力モードにおいて消費する電力を５０ｍｓｅｃ分とを供給することができる電解コンデンサ１０２の容量を設定している。低圧電源回路に蓄えることができる電力の量は、電解コンデンサ１０２の静電容量だけでなく、電解コンデンサ１０６の静電容量も考慮に入れて算出される。しかし、通常、制御回路（例えば、データ処理系制御部５０）が使用する電源電圧が５Ｖであれば、許容される電源電圧は、５Ｖ±０．２５Ｖ程度である。このように、電源電圧が５Ｖである場合には、０．２５Ｖという僅かな電圧低下しか許容されていない。したがって、電解コンデンサ１０２に蓄えられている電力は、電解コンデンサ１０６の電圧維持のために、電解コンデンサ１０２に蓄えられている電力がほぼ無くなるまで使用することができるが、電解コンデンサ１０６に蓄えられている電力は、僅かしか使用することができない。
【００２４】
上記したように、電解コンデンサ１０６に蓄えられている電力は僅かしか使用できないため、第１の実施形態においては、電解コンデンサ１０２に蓄えられている電力を中心に説明する。電解コンデンサ１０２に蓄えられている電力は、トランス１０４とスイッチング制御部１０７によって制御されるスイッチングＦＥＴ１０３において降圧され、整流ダイオードブリッジ１０１と電解コンデンサ１０６によって直流（ＤＣ）５Ｖ等の制御部電源電圧へ降圧される。図２においては、説明の簡素化のため電解コンデンサ１０６と整流ダイオードブリッジ１０１とを５Ｖ電源電圧供給用の１系統のみ示しているが、１つの電解コンデンサ１０２に対してトランス１０４の出力を複数備える低圧電源回路の場合には、２４Ｖ電源電圧供給用の出力を別配線として備えて、駆動系制御部４０へ供給してもよい。電解コンデンサ１０６に蓄えられた電力は、駆動系電力生成部１０８とデータ処理系電力生成部１１０に分配される。駆動系電力生成部１０８は、駆動系制御部４０において使用するモータ６２又は高圧電源回路６３によって使用する２４Ｖ電圧、ＬＥＤヘッド点灯用の５Ｖ電圧、スキャナ又は追加給紙トレイ等のオプション機器６４へ供給する２４Ｖ電圧、駆動系制御部４０に備えられる図示しない制御ＡＳＩＣ等の制御電圧３．３Ｖ電圧等を生成している。
【００２５】
《１−２》第１の実施形態の動作
図３（ａ）から（ｈ）は、第１の実施形態に係る印刷装置１におけるＡＣ入力電圧Ｖ１の遮断時の動作を示すタイムチャートである。印刷装置１は、時刻ｔ１において、通常の印刷動作（第１の動作モード）を行っている。このとき、ＡＣ電源３０から供給されるＡＣ入力電圧Ｖ１（図３（ａ））は、電源スイッチ３１を通り、低圧電源回路１００の定着器用電源ライン１０９ａ及び制御系電力ライン３２に供給されている。供給されるＡＣ入力電圧Ｖ１は、図３（ａ）の時刻ｔ１から時刻ｔ２に示されるように、通常のＡＣ電圧（例えば、商用交流電圧）である。電圧検出回路１１１は、整流ダイオードブリッジ１０１から出力された電圧Ｖ２（図３（ｂ））を検出し、検出された電圧Ｖ２をデータ処理系制御部５０に通知する。時刻ｔ１において、整流ダイオードブリッジ１０１から出力された電圧Ｖ２は、予め定められた閾値ＴＨ１以上である。このとき、制御系電力ライン３２に接続された整流ダイオードブリッジ１０１の出力端に接続された電解コンデンサ１０２に蓄えられる電力の量も一定となっているため、電解コンデンサ１０２に蓄えられている電力は、トランス１０４とスイッチング制御部１０７によって制御されるスイッチングＦＥＴ１０３とによって降圧され、整流ダイオードブリッジ１０１と電解コンデンサ１０６によってデータ処理系制御部５０用の電圧Ｖ３として安定して供給されている。
【００２６】
時刻ｔ２において、停電の発生又はユーザーによる操作（例えば、印刷装置１の電源ケーブルが電源供給用のコンセントから抜かれる）などによって、ＡＣ電源３０から印刷装置１へのＡＣ入力電圧Ｖ１による電力供給が遮断される。時刻ｔ２において発生した状態は、電源スイッチ３１による遮断状態と同じ状態である。時刻ｔ２において、定着器電力制御部１０９及び整流ダイオードブリッジ１０１への電力供給が遮断される。時刻ｔ２において、ＡＣ電源３０からの電力供給が停止されると、定着器６６への電力供給は、即座に停止される。しかし、制御部電圧を生成する整流ダイオードブリッジ１０１の後段に接続された電解コンデンサ１０２に蓄積された電力（電気エネルギ）を用いて、スイッチング制御部１０７は、制御系電力を維持しようとする。なお、低圧電源回路１００は、ＡＣ入力電圧Ｖ１によるＡＣ電力の供給が遮断されたときに、電解コンデンサ１０２から整流ダイオードブリッジ１０１によって定着器６６への電力供給がなされない構造となっている。そのため、電解コンデンサ１０２に蓄えられている電力によって電解コンデンサ１０６の電圧を維持するように、スイッチング制御部１０７は、スイッチングＦＥＴ１０３をスイッチング駆動させ、トランス１０４において変換された電力は、電解コンデンサ１０６に蓄えられる。
【００２７】
その後、ＡＣ電源３０からのＡＣ入力電圧Ｖ１の遮断が継続すると、電解コンデンサ１０２に蓄えられている電力は減少し、電解コンデンサ１０２の電圧Ｖ２が低下する。この電圧低下を監視する電圧検出回路１１１は、時刻ｔ３において、電圧Ｖ２が電圧検出回路１１１に設定された予め定められた閾値ＴＨ１まで低下したことを検出したならば、データ処理系制御部５０にＡＣ入力電圧Ｖ１の遮断を示す検出信号Ｓ１（図３（ｄ））を送る。
【００２８】
ＡＣ入力電圧Ｖ１の遮断を示す検出信号Ｓ１を受けたデータ処理系制御部５０のＣＰＵ５１は、時刻ｔ４（図３（ｅ）において、即座にＨＤＤ７１の保護処理動作を開始する。通常、ＨＤＤ７１の記憶部はディスク状回転体（ハードディスク）であるため、ディスク状回転体の回転数が一定になるまで、ＨＤＤ７１内の揮発性のキャッシュメモリにデータを一時的に蓄積する。そのため、急にＡＣ入力電圧Ｖ１の遮断が発生すると、ＨＤＤ７１の記憶部であるハードディスクが物理的に破壊されたり、又は、キャッシュメモリに蓄積されていたデータが消失したりする事態が発生し得る。このような事態を避けるために、急にＡＣ入力電圧Ｖ１の遮断が発生したときに、ＨＤＤ７１を安全停止させるために、まずＨＤＤ７１内のキャッシュメモリに蓄積されている、ハードディスクに未だ書き込まれていないデータをハードディスクに書き込む処理である、データの退避処理を時刻ｔ４において開始する（図３（ｅ））。この保護処理動作開始時刻ｔ４と同時に、電解コンデンサ１０２の電力消費を抑える目的でデータ処理系制御部５０は、駆動系制御部４０へＬＥＤヘッド６１の消灯、モータ６２の停止、高圧電源回路６３の出力断、オプション機器６４の動作停止等の省電力モード移行指示信号Ｓ２（図３（ｆ））を送ることによって駆動系電力生成部１０８の電力消費量を低減させる。この制御は、印刷装置１が、待機状態又は省電力モードを備える装置である場合には、各ユニットの動作停止をそれぞれ指示するのではなく、各ユニットが省電力となる動作モードに切り替えられる指示を発するものであってもよい。この処理と並行して、データ処理系制御部５０内部においては、ＣＰＵ５１が生成するデータ処理部５２のメモリ動作を司るクロックＳ３の停止、又は、ハードディスクへのデータ退避に必要ではない機能のリセット及びクロック停止を行うことで、データ処理系電力生成部１１０の電力消費量を低減させる。なお、図３（ｅ）に示す保護処理動作の開始、図３（ｆ）に示す検出信号Ｓ２の送信、図３（ｇ）に示すデータ処理部５２のクロック停止、及び図３（ｈ）に示すＣＰＵ５１のモード変更は、いずれも時刻ｔ４から開始されているが、これらの開始時刻は、必ずしも同時に開始する必要はなく、開始時刻が多少ずれてもよい。
【００２９】
その後、時刻ｔ５において（図３（ｅ））、ＨＤＤ７１のキャッシュメモリ内部のデータをＨＤＤ１７内のハードディスクに保存する処理（データ対比処理）が完了する。
【００３０】
その後、時刻ｔ６において（図３（ｃ））、データ処理系制御部５０が受け取る電源電圧Ｖ３が動作限界電圧ＴＨ２を下回るが、時刻ｔ５において、ＨＤＤ７１における保護処理動作であるデータ退避は完了しているので、ＨＤＤ７１がデータを消失することはない。
【００３１】
図４（ａ）及び（ｂ）は、電力遮断時に動作モード変更しない比較例の印刷装置のＡＣ入力電圧Ｖ１の遮断後にデータ処理用デバイス７０であるＨＤＤ７１に供給される電圧の推移を、３種類の負荷状態Ｃ１，Ｃ２，Ｃ３の場合について示す波形図である。図４（ａ）は、ＡＣ入力電圧Ｖ１を示し、図４（ｂ）は、ＨＤＤ７１に供給される電圧（データ処理系制御部５０に供給される電圧Ｖ３に対応）を示す。図４（ａ）及び（ｂ）に示されるように、時刻ｔ１０において、ＡＣ入力電圧Ｖ１が安定して低圧電源回路１００に供給されており、電源負荷が最も小さい第１の電源負荷状態（第１の装置動作状態）Ｃ１、又は、電源負荷が次に小さい第２の電源負荷状態（第２の装置動作状態）Ｃ２、又は、電源負荷が最も大きい第３の電源負荷状態（第３の装置動作状態）Ｃ３で動作している。その後、時刻ｔ１１において、図４（ａ）に示されるように、ＡＣ入力電圧Ｖ１が遮断されると、図４（ｂ）に示されるように、電圧検出回路１１１が検出する電圧Ｖ２も次第に低下する。図４（ｂ）に示されるように、電圧Ｖ２の低下の仕方は、電源負荷状態に応じて異なる。
【００３２】
第１の装置動作状態Ｃ１は、印刷動作を実行している場合の動作状態を表し、モータ６２は回転し、ＬＥＤヘッド６１が点灯し、データ処理部５２が通常動作している場合であり、電力を多く消費する状態を示す。第２の装置動作状態Ｃ２は、モータ６２は停止し、ＬＥＤヘッド６１は消灯し、データ処理部５２は印刷ジョブを受け入れることができるようにデータ処理を行い、印刷ジョブを受け入れる準備が整っている待機の状態であり、電力を中程度消費する状態を示す。第３の装置動作状態Ｃ３は、消費電力を抑える目的の動作状態であり、モータ６２は停止し、ＬＥＤヘッド６１は消灯し、データ処理部５２も停止している場合であり、電力消費が僅かである状態を示す。第１の装置動作状態Ｃ１、第２の装置動作状態Ｃ２、第３の装置動作状態Ｃ３のように電力消費が異なる動作状態においては、電解コンデンサ１０２に蓄えられている電力を、第１の装置動作状態Ｃ１で最も早く使い切られ、第２の装置動作状態Ｃ２で次に早く使い切られ、第３の装置動作状態Ｃ３で最も遅く使い切られる。そのため、第１の装置動作状態Ｃ１でＡＣ入力電圧Ｖ１が遮断された場合と、第３の装置動作状態Ｃ３でＡＣ入力電圧Ｖ１が遮断された場合においては、ＨＤＤ７１の保護処理動作に使用するが許される時間が大きく異なる。このように、装置の動作状態に応じて変化する電力消費量によって、電源電圧の低下の速度が変化する。このため、従来の印刷装置では、装置の動作状態によって、図３（ｂ）及び（ｃ）における時刻ｔ４から時刻ｔ６までの時間（図４（ｂ）におけるＴ１，Ｔ２，Ｔ３に相当する時間）がばらつき、データ処理用デバイス７０であるＨＤＤ７１の保護処理動作に必要な時間を確保できない可能性があった。
【００３３】
第１の実施形態においては、時刻ｔ３においてＡＣ入力電圧Ｖ１の低下を検出すると（図３（ｂ））、即座に時刻ｔ４において動作モードを省電力モードへ移行するため（図３（ｄ））、装置の動作状態に応じた時刻ｔ４から時刻ｔ６までの時間ばらつきがなくなる。
【００３４】
図５（ａ）及び（ｂ）は、第１の実施形態に係る印刷装置１のＡＣ入力電圧Ｖ１の遮断後にデータ処理用デバイス７０であるＨＤＤ７１に供給される電圧の推移を、３種類の負荷状態Ｃ１，Ｃ２，Ｃ３の場合について示す波形図である。図５（ａ）は、ＡＣ入力電圧Ｖ１を示し、図５（ｂ）は、ＨＤＤ７１に供給される電圧（データ処理系制御部５０に供給される電圧Ｖ３に対応）を示す。図５（ａ）及び（ｂ）に示されるように、時刻ｔ１０において、ＡＣ入力電圧Ｖ１が安定して低圧電源回路１００に供給されており、電源負荷が最も小さい第１の電源負荷状態（第１の装置動作状態）Ｃ１、又は、電源負荷が次に小さい第２の電源負荷状態（第２の装置動作状態）Ｃ２、又は、電源負荷が最も大きい第３の電源負荷状態（第３の装置動作状態）Ｃ３で動作している。その後、時刻ｔ１１において、図６（ａ）に示されるように、ＡＣ入力電圧Ｖ１が遮断されると、図５（ｂ）に示されるように、電圧検出回路１１１が検出する電圧Ｖ２も次第に低下する。図５（ｂ）に示されるように、電圧Ｖ２の低下の仕方は緩やかであり（比較例を示す図４（ｂ）の状態Ｃ３に近い低下の仕方であり）、電源負荷状態Ｃ１，Ｃ２，Ｃ３が異なっても、同じである。
【００３５】
時刻ｔ６まで進むと（図３（ｃ））、電解コンデンサ１０２に蓄えられている電力だけでは、スイッチング制御部１０７によって電解コンデンサ１０６の電圧を維持できなくなり、電解コンデンサ１０６に接続されたデータ処理系電力生成部１１０の出力電圧Ｖ３も低下する。時刻ｔ６において、電解コンデンサ１０６によって維持された電圧Ｖ３がＨＤＤ７１の動作限界ＴＨ２まで低下するが、既にＨＤＤ７１の保護処理動作は、完了しているため、時刻ｔ６においては、ＨＤＤ７１へのアクセスは停止している。
【００３６】
以上のように、ＡＣ入力電圧Ｖ１の遮断時に即座に駆動系制御部４０とデータ処理系制御部５０が省電力状態となることによって、駆動系制御部４０とデータ処理系制御部５０において消費される電力は、ＡＣ入力電圧Ｖ１の遮断前の動作状態にかかわらず、同じ低消費動作モードになる。その結果、電解コンデンサ１０２及び１０６に蓄えられている電力をデータ処理系制御部５０において行われるＨＤＤ７１の保護処理動作にのみ使用することが可能となり、時刻ｔ４から時刻ｔ６までの保護処理動作時間を安定に設定可能となる。
【００３７】
図６（ａ）から（ｈ）は、第１の実施形態に係る印刷装置１においてＡＣ入力電圧Ｖ１が瞬間遮断し復帰したときの動作を示すタイムチャートである。図６（ａ）は、時刻ｔ２においてＡＣ入力電圧Ｖ１の遮断が発生し、その直後の時刻ｔ３においてＡＣ入力電圧Ｖ１が正常状態に復帰した場合を示す。時刻ｔ２から時刻ｔ３までの期間を瞬間遮断又は瞬間遮断期間という。図６（ｂ）は、時刻ｔ２から時刻ｔ３までの瞬間遮断によって検出電圧Ｖ２が一時的に低下する（図６（ｂ）のＶ２ａ）ことを示す。ＡＣ入力電圧が瞬間的に遮断されたことを想定して規定された「電圧ディップ等のイミュニティ試験」において規定された２０ｍｓｅｃ程度の瞬間的なＡＣ入力電圧Ｖ１の遮断が発生した場合、電圧検出回路１１１において検出した電圧Ｖ２は、２０ｍｓｅｃ（すなわち、周波数５０ＨｚであるＡＣ入力電圧Ｖ１の１波長分の期間である５０分の１秒）の印刷動作においては、動作限界電圧ＴＨ２以下にはならないように設定している。このため、印刷装置１は、２０ｍｓｅｃ程度の瞬間的なＡＣ入力電圧Ｖ１の遮断が発生したとしても、正常動作を維持することができる。
【００３８】
《１−３》第１の実施形態の効果
以上に説明したように、第１の実施形態に係る印刷装置１においては、ＡＣ入力電圧Ｖ１の遮断を検出すると（図３（ａ）から（ｈ）における時刻ｔ３）、即座に低消費電力モード（第２にの動作モード）へ移行することによって、ＡＣ入力電圧Ｖ１の遮断がいかなる動作状態で発生した場合であっても、低圧電源回路１００から供給される電圧の低下の速度を予め想定した一定速度にすることが可能である。その結果、低電圧回路１００の電解コンデンサ１０２及び１０６として、低消費電力モードにおける消費電力に基づいて算出された低容量のコンデンサを使用した場合であっても、ＡＣ入力電圧Ｖ１の遮断時にＨＤＤ７１の保護処理動作に必要な時間を確実に確保することができ、ＨＤＤ７１の破損及びデータの消失を防止することができる。
【００３９】
《２》第２の実施形態
《２−１》第２の実施形態の構成
図７は、本発明の第２の実施形態に係る印刷装置２の構成を概略的に示す図である。図７において、図１（第１の実施形態）に示される構成要素と同一又は対応する構成要素には、図１に示される符号と同じ符号を付す。第２の実施形態に係る印刷装置２は、低圧電源回路２００の構成の点において、第１の実施形態に係る印刷装置１と相違する。これ以外の点において、第２の実施形態に係る印刷装置２は、第１の実施形態に係る印刷装置１と同じである。
【００４０】
図８は、第２の実施形態に係る印刷装置２の構成を概略的に示すブロック図である。図８において、図２（第１の実施形態）に示される構成要素と同一又は対応する構成要素には、図２に示される符号と同じ符号を付す。第２の実施形態に係る印刷装置２は、低圧電源回路２００の構成の点において、第１の実施形態に係る印刷装置１と相違する。より具体的に言えば、第２の実施形態における低圧電源回路２００は、ＡＣ入力電圧Ｖ１の遮断を入力電圧検出部としてのＡＣゼロクロス検出回路２１１によって直接検出している点が、ＡＣ入力電圧Ｖ１の遮断を電解コンデンサ１０２の入力端の電圧を検出する電圧検出回路１１１によって間接的に検出している第１の実施形態における低圧電源回路１００と相違する。これ以外の点において、第２の実施形態における低圧電源回路２００は、第１の実施形態における低圧電源回路１００と同じである。
【００４１】
図８に示されるように、ＡＣゼロクロス検出回路２１１は、電源スイッチ３１の両端に接続され、ＡＣ入力電圧Ｖ１を直接検出する回路である。ＡＣゼロクロス検出回路２１１は、ＡＣ入力電圧Ｖ１が基準レベルである０Ｖを通過する毎に（すなわち、ＡＣ入力電圧Ｖ１の波形が０Ｖ（ゼロレベル）に交差する毎に）、パルス信号を出力する回路である。ＡＣゼロクロス検出回路２１１を実現するＡＣゼロクロス回路は公知の回路である（例えば、特開２０１０−５０８２０号公報参照）。ＡＣゼロクロス検出回路２１１の出力信号Ｓ４は、データ処理系制御部５０だけでなく、駆動系制御部４０にも送られる。駆動系制御部４０は、ＡＣゼロクロス信号Ｓ４に基づいて、定着器６６に備えられる熱源であるハロゲンランプの電力供給時に発生する過大な突入電流を抑止するために、ＡＣゼロクロス点の電圧が低いタイミングで、定着器６６のハロゲンランプへの電力供給を開始するためのトリガ信号としても利用することができるように接続される。
【００４２】
《２−２》第２の実施形態の動作
図９（ａ）から（ｈ）は、第２の実施形態に係る印刷装置２におけるＡＣ入力電圧Ｖ１の遮断時の動作を示すタイムチャートである。印刷装置２は、時刻ｔ１において、通常の印刷動作を行っている。このとき、ＡＣ電源３０から供給されるＡＣ入力電圧Ｖ１（図９（ａ））は、電源スイッチ３１を通り、低圧電源装置２００の定着器用電源ライン１０９ａ及び制御系電力ライン３２に供給されている。ＡＣ入力電圧Ｖ１は、図９（ａ）の時刻ｔ１から時刻ｔ２に示されるように、通常のＡＣ電圧である。図９（ｂ）の時刻ｔ１から時刻ｔ２に示されるように、ＡＣゼロクロス検出回路２１１は、ＡＣ入力電圧Ｖ１が基準レベルである０Ｖを通過する毎に、パルス信号を出力する。このとき、制御系電力ライン３２に接続された整流ダイオードブリッジ１０１の出力端に接続された電解コンデンサ１０２に蓄えられる電力の量も一定となっているため、電解コンデンサ１０２に蓄えられている電力は、トランス１０４とスイッチング制御部１０７によって制御されるスイッチングＦＥＴ１０３とによって降圧され、整流ダイオードブリッジ１０１と電解コンデンサ１０６によってデータ処理系制御部電圧Ｖ３として安定して供給されている。ＡＣ入力電圧Ｖ１の遮断を示す検出信号であるＡＣゼロクロス信号Ｓ４は、一定の周期（ＡＣ入力電圧Ｖ１が周波数５０Ｈｚの交流である場合には、１０ｍｓｅｃ毎に）のパルス波形を含む。データ処理系制御部５０は、ＡＣゼロクロス信号Ｓ４のパルス波形の立ち上がりエッジをサンプリングし、次の立ち上がりエッジを監視する。このとき、整流ダイオードブリッジ１０１の出力端に接続された電解コンデンサ１０２に蓄えられる電力の量も一定となっているため、電解コンデンサ１０２に蓄えられている電力は、トランス１０４とスイッチング制御部１０７によって制御されるスイッチングＦＥＴ１０３とによって降圧され、整流ダイオードブリッジ１０１と電解コンデンサ１０６によってデータ処理系制御部電圧Ｖ３として安定して供給されている。
【００４３】
時刻ｔ２において、停電の発生又はユーザーによる操作などによって、ＡＣ電源３０から印刷装置２への電力供給が遮断される。時刻ｔ２において発生した状態は、電源スイッチ３１による遮断状態と同じ状態である。時刻ｔ２において、定着器電力制御部１０９及び整流ダイオードブリッジ１０１への電力供給が遮断される。時刻ｔ２において、ＡＣ電源３０からの電力供給が停止されると、定着器６６への電力供給は、即座に停止される。しかし、制御部電圧を生成する整流ダイオードブリッジ１０１の後段に接続された電解コンデンサ１０２に蓄積された電力を用いて、スイッチング制御部１０７は、制御系電力を維持しようとする。なお、低圧電源回路２００は、ＡＣ入力電圧Ｖ１による電力の供給が遮断されたときに、電解コンデンサ１０２から整流ダイオードブリッジ１０１によって定着器６６への電力供給が自動的に停止される構造を採用している。そのため、電解コンデンサ１０２に蓄えられている電力によって電解コンデンサ１０６の電圧を維持するように、スイッチング制御部１０７は、スイッチングＦＥＴ１０３をスイッチング駆動させ、トランス１０４において変換された電力は、電解コンデンサ１０６に蓄えられる。
【００４４】
その後、ＡＣ電源３０からのＡＣ入力電圧Ｖ１の遮断が継続すると、電解コンデンサ１０２に蓄えられている電力は減少し、電解コンデンサ１０２の電圧Ｖ２は、第１の実施形態と同様に低下する（図９（ｃ））。ＡＣ入力電圧Ｖ１が遮断された時刻ｔ２の時点からデータ処理系制御部５０は、ＡＣゼロクロス信号Ｓ４のパルス波形の立ち上がりエッジをサンプリングし次のエッジを待っているが、次の検出周期である１０ｍｓｅｃ後に、次の立ち上がりエッジが検出されない場合は、印刷動作を急停止させないようにしつつ、次の印刷ジョブの受付を一時中断したり、累積データとなる消耗品の寿命情報を更新したりする動作、すなわち、装置電源を遮断可能な状態にするための準備動作を開始する（図９（ｈ））。
【００４５】
時刻ｔ３においてＡＣゼロクロス信号Ｓ４へのノイズの影響、又は、ＡＣ入力電圧Ｖ１が瞬間的に遮断されたことを想定した「電圧ディップ等のイミュニティ試験」において規定された２０ｍｓｅｃ程度の瞬間的なＡＣ入力電圧Ｖ１の遮断が発生した場合に備えて、ＡＣゼロクロス信号Ｓ４のパルス波形の立ち上がりエッジを検出してから３０ｍｓｅｃ以上（周波数５０Ｈｚにおいて１．５波長分に相当する期間以上）、ＡＣゼロクロス信号Ｓ４のパルス波形が検出されない状態が続くことを検出する。ＡＣゼロクロス信号Ｓ４のパルス波形が検出されない状態が３０ｍｓｅｃ以上続いた場合に、データ処理系制御部５０のＣＰＵ５１は、時刻ｔ４においてＨＤＤ７１の保護処理動作を開始する（図９（ｅ））。ここで、ＡＣゼロクロス信号Ｓ４のパルス波形が検出されない状態が３０ｍｓｅｃ以上続いた場合とした理由は、以下の通りである。仮に、ＡＣゼロクロス信号Ｓ４のパルス波形が検出されない状態が「２０ｍｓｅｃ」以上続いた場合に、データ処理系制御部５０のＣＰＵ５１が、ＨＤＤ７１の保護処理動作を開始するように設定すると、次の問題がある。ＡＣゼロクロス信号Ｓ４のパルス波形の立ち上がりエッジの直後にＡＣ入力電圧Ｖ１が遮断された場合、２０ｍｓｅｃの間、ＡＣゼロクロス信号Ｓ４のパルス波形が検出されなければ、ＡＣ入力電圧Ｖ１が遮断されたと判断することができる。しかし、ＡＣゼロクロス信号Ｓ４のパルス波形の立ち上がりエッジの直前にＡＣ入力電圧Ｖ１が遮断された場合には、既にＡＣゼロクロス信号Ｓ４のパルス波形が検出されない状態が約１０ｍｓｅｃ経過しているため、ＡＣ入力電圧Ｖ１が遮断された時刻（時点）から約１０ｍｓｅｃ経過した時点で、ＡＣ入力電圧Ｖ１が遮断されたと判断することになる。すなわち、ＡＣゼロクロス信号Ｓ４のパルス波形の立ち上がりエッジの直前にＡＣ入力電圧Ｖ１が遮断された場合には、ＡＣ入力電圧Ｖ１が遮断された時点から、２０ｍｓｅｃ経過後ではなく、約１０ｍｓｅｃ経過後にＡＣ入力電圧Ｖ１が遮断されたと判断することになる。このため、期間１０ｍｓｅｃの瞬間的なＡＣ入力電圧Ｖ１の遮断（瞬時停電）が発生した場合に、印刷動作を維持することができず、印刷動作を停止することがある。以上の点から、ＡＣゼロクロス信号Ｓ４のパルス波形の立ち上がりエッジの検出から１０ｍｓｅｃ経過した時点で、ＡＣゼロクロス信号Ｓ４の次のパルス波形の立ち上がりエッジが検出されなければ、ＣＰＵ５１は低消費電力モードへ移行するための準備動作を開始し（図９（ｈ））、さらに２０ｍｓｅｃ待ち、結果的にＡＣゼロクロス信号Ｓ４の最後のパルス波形の立ち上がりエッジを検出してから３０ｍｓｅｃ後にＨＤＤ７１の保護処理動作を開始するのが望ましい。
【００４６】
上記のように、ＡＣゼロクロス信号Ｓ４のパルス波形が立ち上がった後、１０ｍｓｅｃ経過した後から準備動作を開始すると、２０ｍｓｅｃの準備動作時間を確実に確保することができる。しかし、電源環境が良好ではない場合にはノイズの影響等を加味する必要がある。例えば、図９（ｂ）に示されるように、ＡＣゼロクロス信号Ｓ４のパルス波形の検出後３０ｍｓｅｃ経過する時点までの間に、ノイズをパルス波形の立ち上がりエッジであると誤検出した場合には、再び復帰動作を行う必要が生じる。その結果、頻繁に準備動作を繰り返すことになり、ＣＰＵ５１の負荷が増大する事態が発生し得る。したがって、ＡＣゼロクロス信号Ｓ４のパルス波形の立ち上がりエッジの後、１０ｍｓｅｃ経過した後ではなく、より長い時間（例えば、１５ｍｓｅｃ）の経過した後に、準備動作を開始するように設定して、頻繁な準備動作の繰り返しの発生を生じ難くしてもよい。
【００４７】
その後、時刻ｔ４（図９（ｅ））において、ＡＣゼロクロス信号Ｓ４を受け取ったデータ処理系制御部５０のＣＰＵ５１は、即座にＨＤＤ７１の保護処理動作を開始する。通常、ＨＤＤ７１では、揮発性のキャッシュメモリにデータを一時蓄積する。そのため、急にＡＣ入力電圧Ｖ１の遮断が発生すると、キャッシュメモリに保存されているが、ハードディスクに未だ書き込まれていないデータをハードディスクに書き込むための保護処理（データ退避）が必要である。この保護処理動作の開始時刻ｔ４に、電解コンデンサ１０２の電力消費を抑える目的で低消費電力となるよう、データ処理系制御部５０は、駆動系制御部４０へＬＥＤヘッド６１の消灯、モータ６２の停止、高圧電源回路６３の出力断、オプション機器６４の動作停止等を実行するための省電力モード移行指示信号Ｓ２（図９（ｆ））を送ることによって、駆動系電力生成部１０８の電力消費量を低減させる。この制御は、印刷装置２が、待機状態又は省電力モードを備える装置である場合には、各ユニットの動作停止をそれぞれ指示するのではなく、各ユニットが省電力となる動作モードに切り替えられる指示を発するものであってもよい。同時に、データ処理系制御部５０内部においては、ＣＰＵ５１が生成するデータ処理部５２のメモリ動作を司るクロックＳ３の停止又はハードディスクへのデータ退避に必要ではない機能のリセット及びクロック停止を行うことでデータ処理系電力生成部１１０の電力消費量を低減させる。なお、図９（ｅ）に示す保護処理動作の開始、図９（ｆ）に示す停止命令信号Ｓ２の送信、図９（ｇ）に示すデータ処理部５２のクロック停止命令Ｓ３、及び図９（ｈ）に示すＣＰＵ５１のモード変更は、いずれも時刻ｔ４から開始されているが、これらの開始時刻は、必ずしも同時である必要はなく、開始時刻が多少ずれてもよい。
【００４８】
その後、時刻ｔ５において（図９（ｅ））、ＨＤＤ７１のキャッシュメモリ内部のデータをＨＤＤ７１内のハードディスクに保存するデータ退避処理が完了する。
【００４９】
データ処理系制御部５０が受け取る電源電圧Ｖ３は、時刻ｔ２１から低下し、時刻ｔ６において、データ処理系制御部５０が受け取る電源電圧Ｖ３が動作限界電圧ＴＨ２を下回るが（図９（ｄ））、時刻ｔ５において、ＨＤＤ７１における保護処理動作は完了しているので（図９（ｅ））、ＨＤＤ７１がデータを消失することはない。
【００５０】
図１０（ａ）から（ｈ）は、第２の実施形態に係る印刷装置２においてＡＣ入力電圧Ｖ１が瞬間遮断し復帰したときの動作を示すタイムチャートである。図１０（ａ）は、時刻ｔ２においてＡＣ入力電圧Ｖ１の遮断が発生し、その直後の時刻ｔ３においてＡＣ入力電圧Ｖ１が正常状態に復帰した場合を示す。時刻ｔ２から時刻ｔ３までの期間を瞬間遮断又は瞬間遮断期間という。図１０（ｂ）は、時刻ｔ２から時刻ｔ３までの瞬間遮断によってＡＣゼロクロス信号Ｓ４のパルス波形が生成されないことを示す。ＡＣ入力電圧が瞬間的に遮断されたことを想定して規定された「電圧ディップ等のイミュニティ試験」において規定された２０ｍｓｅｃ程度の瞬間的なＡＣ入力電圧Ｖ１の遮断が発生した場合、ＡＣゼロクロス検出回路２１１からデータ処理系制御部５０へＡＣゼロクロス信号Ｓ４のパルス波形が通知されないこととなりＣＰＵ５１は、時刻ｔ２から時刻ｔ３までにおいてデータ退避などの保護処理動作のための準備動作を行うが、時刻ｔ３においてＡＣ入力電圧Ｖ１が復帰しているため時刻ｔ２から時刻ｔ３までの期間にも通常動作を維持することができる。
【００５１】
《２−３》第２の実施形態の効果
以上に説明したように、第２の実施形態に係る印刷装置２においては、ＡＣ入力電圧Ｖ１の低下を検出すると（図９（ａ）から（ｈ）における時刻ｔ３）、即座に低消費電力モードへ移行することによって、ＡＣ入力電圧Ｖ１の遮断がいかなる動作状態で発生した場合であっても、低圧電源回路２００から供給される電圧の低下の速度を予め想定した一定速度以下にすることができる。その結果、低電圧回路２００の電解コンデンサ１０２及び１０６として、低消費電力モードにおける消費電力に基づいて算出された低容量のコンデンサを使用した場合であっても、ＡＣ入力電圧Ｖ１の遮断時に、安定したＨＤＤ７１の保護処理動作に必要な時間を確保することが可能となるため、ＨＤＤ７１の破損及びデータの消失を防止することができる。
【００５２】
また、第２の実施形態に係る印刷装置２においては、ＡＣゼロクロス信号Ｓ４のパルス波形の検出により電圧低下をより迅速に検出することが可能となるため、ＣＰＵ５１よってＨＤＤ７１におけるデータ退避の準備処理を早く開始できる。このため、ＨＤＤ７１において退避させることができるデータの量が増加するので、ＡＣ入力電圧が遮断されたときにＨＤＤ７１にといて行われる保護処理動作を確実に完了させることができる。
【００５３】
また、第２の実施形態に係る印刷装置２においては、瞬間的な停電によるＡＣ入力電圧Ｖ１の一時遮断が発生した場合であっても、印刷動作時に消費する電力からＡＣ入力電圧Ｖ１の低下を予測することができるため、第１の実施形態における閾値ＴＨ１を予め定めて設定しておく回路が不要である。
【００５４】
《３》変形例
上記第１及び第２の実施形態においては、保護処理動作がＨＤＤ７１の動作の停止である例を説明したが、本発明はこれに限定されず、本発明は、データ処理に使用されるデバイス（周辺装置）としてのデータ処理装置の保護処理に適用可能である。
【００５５】
また、上記第１及び第２の実施形態においては、ＣＰＵ５１が駆動系制御部４０に動作停止命令信号Ｓ２を送ることによって低圧電源回路１００（又は２００）に蓄えられている電力の消費を節約する例を示した。しかし、ＣＰＵ５１が、駆動系電力生成部１０８における電力生成を停止させる命令信号を低圧電源回路１００（又は２００）に送ることによって低圧電源回路１００（又は２００）に蓄えられている電力の消費を節約する構成を採用してもよい。この場合には、上記第１及び第２の実施形態において記載した効果と同様に、ＨＤＤ７１などのデータ処理用デバイス７０の保護処理動作を確実に完了させた後に、印刷装置１の停止動作に移行することができる。
【００５６】
また、上記第１及び第２の実施形態においては、低圧電源回路１００（又は２００）が駆動系電力生成部１０８とデータ処理系電力生成部１１０とを有する例を説明した。しかし、駆動系電力生成部１０８とデータ処理系電力生成部１１０とを１つの電力生成部に置き換えた構成、又は、３つ以上の電力生成部に置き換えた構成を採用してもよい。
【００５７】
また、上記第１及び第２の実施形態においては、オプション機器６４としてスキャナ装置を例示したが、オプション機器６４は、データ処理系制御部５０の指示信号に応じて、低消費電力モードに切り替え可能、又は、装置電源の停止が可能な機器であれば、他の機器であってもよい。
【００５８】
また、本発明が適用されるデータ処理装置の制御方法は、駆動系デバイスと、データ処理を行うデータ処理用デバイスと、外部電源から入力される入力電圧から、駆動系デバイスに供給する駆動系電圧とデータ処理系デバイスに供給するデータ処理系電圧を生成する電源回路とを有する方法であって、入力電圧の遮断が検出されたときに、駆動系デバイスの駆動を停止又は制限させる省電力モードに移行させた後に、データ処理用デバイスの保護処理動作を実行するものであってもよい。
【００５９】
また、上記第１の実施形態においては、低圧電源回路１００内の電圧Ｖ２を電圧検出回路１１１で検出しているが、電圧Ｖ２の検出にＡＣゼロクロス検出回路を用いることも可能である。
【産業上の利用可能性】
【００６０】
本発明は、電子写真プリンタ、複写機、ファクシミリ装置、ＭＦＰなどの印刷機能を備えた装置に適用可能である。また、本発明は、入力電圧の遮断時に保護処理動作が必要になるデータ処理用デバイスを有するデータ処理装置に適用可能である。
【符号の説明】
【００６１】
１，２  印刷装置、  １ａ，２ａ  カバー、  １０  画像形成部、  １０ａ  Ｋ色用画像形成部、  １０ｂ  Ｃ色用画像形成部、  １０ｃ  Ｍ色用画像形成部、  １０ｄ  Ｙ色用画像形成部、  １１ａ，１１ｂ，１１ｃ，１１ｄ  露光装置、  １２ａ  感光体（感光体ドラム）、  １３ａ  現像ローラ、  １４ａ  供給ローラ、  １５ａ  帯電ローラ、  １６  転写ベルト、  １６ａ，１６ｂ  駆動ローラ、  １７ａ，１７ｂ，１７ｃ，１７ｄ  転写ローラ、  １８  カセットトレイ、  １９  ホッピングローラ、  ２０  給紙センサ、  ２１  書き出しセンサ２１、  ２２  排出センサ、  ２３  スタッカ、  ３０  ＡＣ電源、  ３１  電源スイッチ、  ４０  駆動系制御部、  ５０  データ処理系制御部、  ５１  中央制御部、  ５２  データ処理部、  ６０  駆動系デバイス、  ６１  ＬＥＤヘッド、  ６２  モータ、  ６３  高圧電源回路、  ６５  センサ、  ６６  定着器、  ７０  データ処理用デバイス、  ７１  ハードディスクドライブ（ＨＤＤ）、  ８０  印刷媒体、  １００，２００  低圧電源回路、  １０１  整流ダイオードブリッジ（整流回路）、  １０２  電解コンデンサ（コンデンサ）、  １０４  トランス、  １０６  電解コンデンサ（コンデンサ）、  １０８  駆動系電力生成部、  １０９  定着器電力制御部、  １１０  データ処理系電力生成部、  １１１  電圧検出回路（入力電圧検出部）、  ２１１  ＡＣゼロクロス検出回路（入力電圧検出部）。
【図１】
2015085661.tif 000003
【図２】
2015085661.tif 000004
【図３】
2015085661.tif 000005
【図４】
2015085661.tif 000006
【図５】
2015085661.tif 000007
【図６】
2015085661.tif 000008
【図７】
2015085661.tif 000009
【図８】
2015085661.tif 000010
【図９】
2015085661.tif 000011
【図１０】
2015085661.tif 000012